(57)【要約】【課題】雨などの外的要件に左右され難くする。【解決手段】蒲鉾状の農業用ハウス１の長手方向に多数並設される支柱１０を有する骨格部２と、隣り合う支柱１０の間であってハウス１の下部に設けられ、水平軸回りに傾動可能であってほぼ垂直な閉姿勢Ａと開姿勢とにわたり傾動する多数の開閉窓６と、各開閉窓６を傾動可能に支持する軸部材１３と、各開閉窓６の内面側であって閉姿勢のときに軸部材１３よりも上側の部位にそれぞれ設けられた第１の紐通し１６と、骨格部の内面側に、第１の紐通し１６よりも低い位置に設けられた第２の紐通し１７と、第１の紐通し１６及び第２の紐通し１７に通されるとともに一端が固定された紐１８と、紐１８の他端側を巻き取る巻取機２０と、開閉窓６が開姿勢を維持するようにロックするロック手段２１とを具備する。【選択図】図５
2010011815.tif 000002
【特許請求の範囲】
【請求項１】
蒲鉾状の農業用ハウスであって、
長手方向に所定間隔おきに多数並設される支柱を有する骨格部と、
隣り合う支柱の間であってハウスの下部に設けられ、水平軸回りに傾動可能であってほぼ垂直な閉姿勢と、所定角度に傾斜した開姿勢とにわたり傾動する多数の開閉窓と、
前記骨格部の前記水平軸に相当する部位であって各開閉窓毎に設けられたヒンジを有し、該ヒンジを介して各開閉窓を傾動可能に支持する軸部材と、
各開閉窓の内面側であって、前記閉姿勢のときに前記軸部材よりも上側の部位にそれぞれ設けられた第１の紐通しと、
前記骨格部の各開閉窓を水平方向に挟む両側部位のそれぞれの内面側に、前記第１の紐通しよりも低い位置に設けられた第２の紐通しと、
第１の紐通し及び第２の紐通しに通されるとともに一端が固定された紐と、
前記紐の他端側を巻き取る巻取機と、
前記開閉窓が前記開姿勢を維持するように前記紐の他端側または前記巻取機をロックするロック手段とを具備し、
前記巻取機による紐の巻取りに伴う前記第２の紐通しに対する前記第１の紐通しの接近により前記開閉窓が閉姿勢から開姿勢へ変化し、その状態を前記ロック手段がロックすると開姿勢が維持され、一方、前記ロック手段によるロックを解除すると前記開閉窓が自重により閉姿勢に戻るように構成されていることを特徴とする農業用ハウス。
【請求項２】
請求項１に記載の農業用ハウスにおいて、
前記第１の紐通しは紐を通す紐通部を有し、その紐通部が、開閉窓を閉姿勢にした状態で、前記ヒンジを通る垂直面よりもハウス内側に位置するように配置されていることを特徴とする農業用ハウス。
【請求項３】
請求項２に記載の農業用ハウスにおいて、
前記第２の紐通しは紐を通す紐通部を有し、前記開閉窓が閉姿勢のとき、前記第１の紐通しの紐通部と前記第２の紐通しの紐通部とがほぼ同一の垂直面上に位置するように配置されていることを特徴とする農業用ハウス。
【請求項４】
請求項１乃至３のいずれかに記載の農業用ハウスにおいて、
前記軸部材が、前記閉姿勢における前記開閉窓の重心よりも高い位置に設けられていることを特徴とする農業用ハウス。
【請求項５】
請求項１乃至４のいずれかに記載の農業用ハウスにおいて、
前記開姿勢が、開閉窓の上端がハウスの内側に入り開閉窓の下端がハウスの外側に突出しかつ前記上端が前記下端よりも上側に位置する姿勢であることを特徴とする農業用ハウス。
【請求項６】
請求項１乃至５のいずれかに記載の農業用ハウスにおいて、
前記開閉窓が前記閉姿勢のとき、前記開閉窓の上端外面または下端内面が当接する当接片が設けられていることを特徴とする農業用ハウス。
【請求項７】
請求項１乃至６のいずれかに記載の農業用ハウスにおいて、
前記巻取機から遠い側にある一部の開閉窓に、前記水平軸よりも下側に錘が設けられていることを特徴とする農業用ハウス。
【請求項８】
請求項１乃至７のいずれかに記載の農業用ハウスにおいて、
前記紐が前記第１の紐通しと前記第２の紐通しとに交互に通されて千鳥状になっていることを特徴とする農業用ハウス。
【発明の詳細な説明】
【技術分野】
【０００１】
本発明は、例えば野菜などの農作物を作るために用いられる蒲鉾状の農業用ハウスに関する。
【背景技術】
【０００２】
上述した農業用ハウスとして、一般的にはビニールシートやビニール製の波板を用いて全面が覆われたものが知られている。
【０００３】
そして、近年においては、ハウス内の温度調整を可能とするように開閉窓を備えたものが提案されている（例えば、特許文献１等参照）。この提案の農業用ハウスは、複数本のアーチ主骨を連続して並設し該アーチ主骨をハウスの長手方向に設けたアーチ横骨によって連結してハウスの骨格を構成し、ハウスの垂直中心に対して左右対称位置にかつアーチ主骨に沿って移動可能に設けた開閉窓を具備し、該開閉窓と上記アーチ主骨との間に当該枠体を移動させる移動手段を設け、上記アーチ主骨の地上から一定の高さ迄と上記開閉窓にビニールフィルム又はプラスチック板を張設した構成となっている。
【特許文献１】特開平９−１８２５２９号公報
【発明の開示】
【発明が解決しようとする課題】
【０００４】
しかしながら、上述した提案方式の場合には、上記開閉窓がハウスの長手方向のほぼ全長にわたって設けられた重いものであるため、この開閉窓をアーチ主骨に沿った上下方向に移動させる移動手段としては駆動力の大きいものが要求され、その結果として高コストなものになるという不都合があった。
【０００５】
本発明は、このような従来技術の課題を解決するためになされたもので、コスト的に安価な農業用ハウスを提供することを目的とする。
【課題を解決するための手段】
【０００６】
本発明の請求項１に係る農業用ハウスは、蒲鉾状の農業用ハウスであって、長手方向に所定間隔おきに多数並設される支柱を有する骨格部と、隣り合う支柱の間であってハウスの下部に設けられ、水平軸回りに傾動可能であってほぼ垂直な閉姿勢と、所定角度に傾斜した開姿勢とにわたり傾動する多数の開閉窓と、前記骨格部の前記水平軸に相当する部位であって各開閉窓毎に設けられたヒンジを有し、該ヒンジを介して各開閉窓を傾動可能に支持する軸部材と、各開閉窓の内面側であって、前記閉姿勢のときに前記軸部材よりも上側の部位にそれぞれ設けられた第１の紐通しと、前記骨格部の各開閉窓を水平方向に挟む両側部位のそれぞれの内面側に、前記第１の紐通しよりも低い位置に設けられた第２の紐通しと、第１の紐通し及び第２の紐通しに通されるとともに一端が固定された紐と、前記紐の他端側を巻き取る巻取機と、前記開閉窓が前記開姿勢を維持するように前記紐の他端側または前記巻取機をロックするロック手段とを具備し、前記巻取機による紐の巻取りに伴う前記第２の紐通しに対する前記第１の紐通しの接近により前記開閉窓が閉姿勢から開姿勢へ変化し、その状態を前記ロック手段がロックすると開姿勢が維持され、一方、前記ロック手段によるロックを解除すると前記開閉窓が自重により閉姿勢に戻るように構成されていることを特徴とする。
【０００７】
本発明の請求項２に係る農業用ハウスは、請求項１に記載の農業用ハウスにおいて、前記第１の紐通しは紐を通す紐通部を有し、その紐通部が、開閉窓を閉姿勢にした状態で、前記ヒンジを通る垂直面よりもハウス内側に位置するように配置されていることを特徴とする。
【０００８】
本発明の請求項３に係る農業用ハウスは、請求項２に記載の農業用ハウスにおいて、前記第２の紐通しは紐を通す紐通部を有し、前記開閉窓が閉姿勢のとき、前記第１の紐通しの紐通部と前記第２の紐通しの紐通部とがほぼ同一の垂直面上に位置するように配置されていることを特徴とする。
【０００９】
本発明の請求項４に係る農業用ハウスは、請求項１乃至３のいずれかに記載の農業用ハウスにおいて、前記軸部材が、前記閉姿勢における前記開閉窓の重心よりも高い位置に設けられていることを特徴とする。
【００１０】
本発明の請求項５に係る農業用ハウスは、請求項１乃至４のいずれかに記載の農業用ハウスにおいて、前記開姿勢が、開閉窓の上端がハウスの内側に入り開閉窓の下端がハウスの外側に突出しかつ前記上端が前記下端よりも上側に位置する姿勢であることを特徴とする。
【００１１】
本発明の請求項６に係る農業用ハウスは、請求項１乃至５のいずれかに記載の農業用ハウスにおいて、前記開閉窓が前記閉姿勢のとき、前記開閉窓の上端外面または下端内面が当接する当接片が設けられていることを特徴とする。
【００１２】
本発明の請求項７に係る農業用ハウスは、請求項１乃至６のいずれかに記載の農業用ハウスにおいて、前記巻取機から遠い側にある一部の開閉窓に、前記水平軸よりも下側に錘が設けられていることを特徴とする。
【００１３】
本発明の請求項８に係る農業用ハウスは、請求項１乃至７のいずれかに記載の農業用ハウスにおいて、前記紐が前記第１の紐通しと前記第２の紐通しとに交互に通されて千鳥状になっていることを特徴とする。
【発明の効果】
【００１４】
本発明にあっては、開閉窓が閉姿勢にあるときに巻取機により紐の他端側を巻き取ると、骨格部に設けた第２の紐通しに対する第１の紐通しの接近により、開閉窓が巻取機に近い側から遠い側へ順番に閉姿勢から開姿勢へ変化していく。そして、巻取機により巻き取られる紐が通された第１の紐通しを有する全部の開閉窓が開姿勢になると、ロック手段により紐の他端側または巻取機をロックすることで、全部の開閉窓が開姿勢に維持される。そして、開閉窓を閉姿勢にするときは、ロック手段によるロックを解除すると、巻取機に近い側から遠い側へ順番に開閉窓が自重により閉姿勢に戻る。また、各開閉窓の開姿勢のときの傾き角度は、第１の紐通しが第２の紐通しに対して最も接近した状態のときの角度となるので、第１の紐通し、第２の紐通しおよび軸部材の各高さ関係に応じて調整されることとなる。従って、本発明による場合には、紐の他端側を巻き取ることにより開閉窓を巻取機に近い側から遠い側へ順番に閉姿勢から開姿勢へと変化させ、その開姿勢をロック手段でロックすることで維持させることができ、ロック解除により開閉窓が自重により閉姿勢に戻るので、大きい駆動力を必要とせず、コスト的に安価なものにできる。
【００１５】
請求項２の発明による場合には、開閉窓が閉姿勢のとき、開閉窓を傾動させるヒンジ（水平軸）に対して第１の紐通しの紐通部が水平方向においてハウス内側に偏位しているので、開閉窓を閉姿勢から開姿勢へ軽い巻取力により変えることができる。
【００１６】
請求項３の発明による場合には、開閉窓が閉姿勢のとき第１の紐通しの紐通部と第２の紐通しの紐通部とがほぼ同一の垂直面上に位置するので、開閉窓を開ける瞬間において、開閉窓に取付けた第１の紐通しを、第２の紐通しの紐通部を介してほぼ真下方向に引き下げるように力が作用するようにできる。よって、開閉窓を閉姿勢から軽い巻取力により開けることができる。
【００１７】
請求項４の発明による場合には、開閉窓の重心よりも軸部材が高いので、開姿勢の開閉窓をその自重により閉姿勢に戻すことが可能になる。
【００１８】
請求項５の発明による場合には、開姿勢が、開閉窓の上端がハウスの内側に入り開閉窓の下端がハウスの外側に突出しかつ前記上端が前記下端よりも上側に位置する姿勢であるので、雨降りの時においても通気性を確保することができる。
【００１９】
請求項６の発明による場合には、開閉窓の上端外面または下端内面を当接片に当接させて開閉窓を閉姿勢にするので、閉姿勢の開閉窓が全て綺麗に揃った状態になる。
【００２０】
請求項７の発明による場合には、開姿勢から閉姿勢に戻り難い開閉窓に対し、水平軸よりも下側に錘を設けることにより、開閉窓の自重に錘の重量を加えた重さが、開閉窓の水平軸よりも下側に作用するので、開閉窓を閉姿勢に戻り易くすることができる。
【発明を実施するための最良の形態】
【００２１】
以下に本発明を具体的に説明する。
【００２２】
図１は本発明を適用した農業用ハウスの全体を示す外観斜視図であり、図２は本発明の要部である開閉窓の部分を外側から見た図、図３は図２の開閉窓の部分を内側から見た図、図４は開閉窓が取付けられる被取付部を示す外観斜視図、図５は図４の被取付部に開閉窓が取付けられた状態を示す外観斜視図、図６は開閉窓が開閉する動作内容の説明図、図７はロック手段の説明図である。
【００２３】
この農業用ハウス１は、骨格部２の外側全体に合成樹脂製の覆い部材３が取付けられた蒲鉾状のもので、長手方向Ｌの両側に垂直な壁面４、４が設けられ、各壁面４にはそれぞれ出入り用の扉５が形成されている。また、幅方向Ｗの両側面には、ハウス１の下部に、地面に沿って開閉窓６が多数設けられており、この開閉窓６にも、他の部位と同様の覆い部材３が設けられている。開閉窓６の具体的な構成は、横に長い矩形状の枠体６ｃを有するもので、その枠体６ｃの外側に覆い部材３が設けられた構成である。なお、開閉窓６は、ハウス１の長手方向Ｌの全長にわたる範囲に設けられている。また、長手方向Ｌと幅方向Ｗとは、直交する方向となっている。
【００２４】
上記覆い部材３は、合成樹脂製のものであれば自由に変形可能な軟質なものや変形しない硬質のものを問わず使用することができ、特に耐久性を向上させる場合には光に対して変色し難いポリカーボネート製のものを用いるのが好ましい。覆い部材３の断面形状としては、波板状でも、他の形状のものでもよい。
【００２５】
骨格部２は、長手方向Ｌに所定間隔おきに多数並設されたアーチ状の支柱１０と、長手方向Ｌに沿って長く、支柱１０によって支持された桟１１と、各壁面４に設けられた構造部１２とを有する。各支柱１０は、その両端部を地面に埋設して固定されている。なお、骨格部２の材質は、木質、金属など種類を問わない。
【００２６】
桟１１は、アーチ状の支柱１０に沿って複数設けられていて、片方の側面側には、例えば図示例では開閉窓６の下部に相当する位置に設けた桟１１ａと、開閉窓６の上部に相当する位置に設けた桟１１ｂと、天井部に設けた桟１１ｃと、その桟１１ｃと前記桟１１ｂとの間に設けた桟１１ｄ、１１ｅとを有する。桟１１は、天井部に設けた桟１１ｃを除き、幅方向Ｗに対称的に配置されていて、図１に表れていない奥側にも桟１１ａ、１１ｂ、１１ｄおよび１１ｅが設けられている。
【００２７】
構造部１２は、両壁面４において同一構造であって、壁面４に設けられた支柱１０の内側に設けられており、水平部材１２ａと、水平部材１２ａの下側に設けられた２つの扉５、５と、各扉５の外側に２つずつ設けられた鉛直部材１２ｂとを有する。各扉５は、該当する扉５の外側に位置する鉛直部材１２ｂを中心として鉛直軸回りに開閉し、両方の扉５が観音開きとなるように形成されている。また、水平部材１２ａの上側には、支柱１０を支持する鉛直部材１２ｃが複数、例えば図示例では４本設けられている。この構成の構造部１２は、長手方向Ｌの両側の壁面４に設けられている。
【００２８】
次に、開閉窓６が配設された部分の開閉機構を具体的に説明する。
【００２９】
地面に近い上記桟１１ａと桟１１ｂは、支柱１０の外側に配置されていて、両桟１１ａ、１１ｂの間には軸部材１３が支柱１０の外側に水平に設けられている。また、両桟１１ａ、１１ｂの内側には、上下両端部を桟１１ａ、１１ｂに固定して巻取機取付板７が設けられている。この巻取機取付板７は、幅方向Ｗの両側面のそれぞれであって、ハウス１における長手方向Ｌの同じ側の端部に設けられており、図３に示す一番端の支柱１０と、その１つ隣の支柱１０との間に挟まれている。
【００３０】
上記軸部材１３は、各開閉窓６毎に２つ１組で設けられたヒンジ１４を有し、各組のヒンジ１４は開閉窓６の枠体６ｃにおける左右の各辺部に取付けられている。また、各組のヒンジ１４はそれぞれ軸部材１３に取付けられている。よって、開閉窓６は、ヒンジ１４の軸部１４ａ（図６参照）を水平軸として、その回りを傾動可能に設けられ、ほぼ垂直な閉姿勢Ａと、上端６ａがハウス１の内側に入り下端６ｂがハウス１の外側に突出し、かつ上端６ａが下端６ｂよりも上側に位置する開姿勢Ｂとにわたり傾動する。そして、開閉窓６は、閉姿勢Ａのときに開閉窓６の下端部が地面に近い上記桟１１ａに当接することにより、全ての開閉窓６の閉姿勢Ａが揃うようになっている。なお、閉姿勢Ａのときのほぼ垂直には、支柱１０の下部の地面に対する角度にほぼ一致する角度を含む。例えば、支柱１０の下部の角度が地面に対して垂直である場合には、その垂直を含み、或いは、支柱１０の下部の角度が地面寄りに寝ている場合には、その地面寄りに寝ている角度を含むものである。
【００３１】
この開閉窓６は、支柱１０よりも外側であって、傾動に際して、並設された隣り合う支柱１０、１０の間を通るように適長離隔して配置されていて、隣合う開閉窓６の間には隙間を埋める化粧用の縦枠１５が設けられている（図１、図２参照）。この縦枠１５は、その下端部を桟１１ａに固定し、上端部を桟１１ｂに固定することにより骨格部２に取付けられている。
【００３２】
各開閉窓６の内面側には、閉姿勢Ａのときに前記軸部材１３よりも上側の部位、図示例では枠体６ｃの上辺６ｄに第１の紐通し１６がスペーサ１９を介してそれぞれ設けられている。一方、骨格部２の各開閉窓６を水平方向に挟む両側部位のそれぞれ、各巻取機取付板７および各支柱１０（巻取機取付板７よりも外側のものを除く）の内面側に、前記第１の紐通しよりも低い位置に第２の紐通し１７が設けられている。
【００３３】
これら第１の紐通し１６及び第２の紐通し１７は、共に紐１８を通す紐通部１６ａ、１７ａを有し、各紐通部１６ａ、１７ａは、前記スペーサ１９の長さを調整することにより、開閉窓６が閉姿勢Ａのときにほぼ同一の垂直面Ｃの上に位置するように設計されている。また各紐通部１６ａ、１７ａは紐１８が抜け出ない環状、好ましくは円環状のものであって、各紐通部１６ａ、１７ａには紐１８が通されており、この紐１８は開閉窓６が閉姿勢Ａのとき千鳥状となっている。また、紐１８の一端は、図示例では巻取機取付板７と反対側の端の図３に表れていない第２の紐通し（１７）に結び付けて固定されている。紐１８の一端の固定は、巻取機取付板７と反対側の端の第１の紐通し１６であってもよく、或いは、骨格部２における巻取機取付板７とは反対側の部位であってもよい。
【００３４】
紐１８の他端は、巻取機取付板７に回動可能に取付けた巻取機２０に結び付けて固定されている。この巻取機２０は、把持部２０ａと、この把持部２０ａの回動により回動する巻取ドラム２０ｂと、巻取ドラム２０ｂを軸方向で挟むフランジ部２０ｃ、２０ｄとを有する構成となっており、把持部２０ａを把持して一定方向（例えば時計回り）に回動させると巻取ドラム２０ｂが紐１８の他端側を巻き取るようになっている。
【００３５】
この巻取機２０には、ロック手段２１が付設されている。ロック手段２１は、前記フランジ部２０ｃ、２０ｄのうち、巻取機取付板７に近い側のフランジ部２０ｃに外側に突出するように形成した突起２１ａと、その突起２１ａが回る領域に、一定間隔で形成された複数のピン取付孔２１ｂと、これらのピン取付孔２１ｂの１つに差し込んで固定されるピン２１ｃとを有し（図７参照）、ピン２１ｃをピン取付孔２１ｂの１つに差し込むと、そのピン２１ｃが突起２１ａに当接することにより巻取機２０が回動しないようにロックする。
【００３６】
次に、このように構成された農業用ハウス１における開閉機構の開閉作業につき説明する。
【００３７】
開閉窓６が閉まっていて、ハウス１内の温度が高すぎる場合には、開閉窓６を開けるために、幅方向Ｗの片側のハウス側面に設けられた巻取機２０の把持部２０ａを、例えば時計回りに回動させて紐１８の他端側を巻き取る。このとき、上述したように開閉窓６が閉姿勢Ａのとき第１の紐通し１６の紐通部１６ａと第２の紐通し１７の紐通部１７ａとがほぼ同一の垂直面Ｃ上に位置するので（図６参照）、開閉窓６を開ける瞬間において、開閉窓６に取付けた第１の紐通し１６を、第２の紐通し１７の紐通部１７ａを介してほぼ真下方向に引き下げるように力が作用するようにでき、開閉窓６を閉姿勢Ａから軽い巻取力により開けることが可能になる。また、開閉窓６が閉姿勢Ａのとき、開閉窓６を傾動させる水平軸（ヒンジ１４の軸部１４ａ）に対して第１の紐通し１６の紐通部１６ａが水平方向においてハウス１の内側に偏位しているので（図６参照）、開閉窓６を閉姿勢Ａから開姿勢Ｂへ軽い巻取力により変えることができる。
【００３８】
このような巻取りに伴い、千鳥状となっていた紐１８が、直線状に近づいていき、これにより第２の紐通し１７に対して第１の紐通し１６が接近して開閉窓６が閉姿勢Ａから開姿勢Ｂへ変化していく。この開姿勢Ｂへの変化は、巻取機２０に近い側から順に生じていく。そして、片側のハウス側面に設けられた全部の開閉窓６が開姿勢Ｂになると、戻りが最も小さいピン取付孔２１ｂにピン２１ｃを差し込む。その後、把持部２０ａから手を離すと巻取ドラム２０ｂが少し戻るものの、ピン２１ｃが突起２１ａに当接することにより巻取機２０が回動しないようにロックされる。これにより、片側のハウス側面に設けられた全部の開閉窓６が開姿勢Ｂに維持される。
【００３９】
このとき、各開閉窓６は、開姿勢Ｂにおいて、上端６ａがハウス内側に入り下端６ｂがハウス外側に突出しかつ上端６ａが下端６ｂよりも上側に位置するように傾動しているので、雨などが降っても開姿勢のままでもハウス内に雨などが入り難いため、雨降りの時においても通気性を確保することができる。また、各開閉窓６の開姿勢Ｂのときの傾き角度は、第１の紐通し１６が第２の紐通し１７に対して最も接近した状態のときの角度となるので、第１の紐通し１６、第２の紐通し１７および軸部材１３の各高さ関係に応じて調整される。
【００４０】
以上は片側のハウス側面に設けた開閉窓６を開ける場合であるが、必要に応じて、反対側のハウス側面に設けられた開閉窓６に関しても、同様にして閉姿勢Ａから開姿勢Ｂへ変化させ、開姿勢Ｂに維持させるようにする。これにより、ハウス１における幅方向Ｗの両側面の下部に設けた開閉窓６が開姿勢Ｂとなって通気性を確保することが可能になる。
【００４１】
そして、開閉窓６を開姿勢Ｂから閉姿勢Ａに戻すときは、ロック手段２１のピン２１ｃをピン取付孔２１ｂから抜いてロックを解除すると、軸部材１３、実質的にはヒンジ１４の軸部１４ａ（水平軸）が開閉窓６の重心よりも高いので、開閉窓６が自重により閉姿勢Ａに戻る。この閉姿勢Ａへの戻りは、巻取機２０に近い側から遠い側へ順番に起こる。
【００４２】
但し、紐１８と第１の紐通し１６との間、紐１８と第２の紐通し１７との間などに摩擦抵抗などが存在するため、場合によっては、巻取機２０から遠い側に位置する開閉窓６が閉姿勢Ａへ戻り難くなる。その場合には、戻り難い開閉窓６に対して錘２２を取り付けることが好ましい（図６参照）。錘２２の取り付けは、開閉窓６の内側でも外側でもよいが、取り付け位置は、開閉窓６が傾動する水平軸（ヒンジ１４の軸部１４ａ）よりも下側の部位がよい。これにより開閉窓６の自重に錘２２の重量を加えた重さが、開閉窓６の水平軸（軸部１４ａ）よりも下側に作用するので、開閉窓６を閉姿勢Ａに戻り易くすることができる。なお、ハウス１の幅方向Ｗにおけるもう片側の開閉窓６に関しても、必要に応じて閉姿勢Ａに戻せばよい。
【００４３】
以上の閉姿勢Ａへの戻りに際し、上述したように閉姿勢Ａのときに開閉窓６の下端６ｂの内面が地面に近い上記桟１１ａに当接するので、全ての開閉窓６の閉姿勢Ａが綺麗に揃う。この桟１１ａは、本発明の当接片として機能するものである。
【００４４】
なお、上述した実施形態では開閉窓６の下端６ｂの内面が当接片としての桟１１ａに当接する構成としているが、本発明はこれに限らず、開閉窓６の上端６ａの外面が当接して各開閉窓６の閉姿勢Ａが綺麗に揃うような構成としてもよい。
【００４５】
したがって、本実施形態による場合には、紐１８を巻取機２０により巻き取ることにより開閉窓６を巻取機２０に近い側から遠い側へ順番に閉姿勢Ａから開姿勢Ｂへと変化させ、その開姿勢Ｂをロック手段２１でロックすることで維持させることができ、ロック解除により開閉窓６が自重により閉姿勢Ａに戻るので、大きい駆動力を必要とせず、コスト的に安価なものにできる。
【００４６】
なお、上述した実施形態では第１の紐通し１６の紐通部１６ａと第２の紐通し１７の紐通部１７ａとに対し交互に紐１８を通し、つまり千鳥状となるように紐１８を通しているが、本発明はこれに限らない。例えば、隣合う２つの第１の紐通し１６に対し連続して紐１８を通してもよく、或いは連続する３以上の第１の紐通し１６に対し連続して紐１８を通してもよい。このような紐の通し方を採用した場合には、千鳥状に紐を通す場合よりも自重により開姿勢Ｂから閉姿勢Ａに戻り易くすることが可能になる。また、その戻り易さは、第１の紐通し１６に連続して通す数が多い程、容易になる。
【００４７】
また、上述した実施形態では手動の巻取機２０を用いているが、本発明はこれに限らず、電動モータなどによる電動巻取機を用いてもよい。
【００４８】
更に、上述した実施形態では農業用ハウスの長手方向の全長にわたって設けられた開閉窓の全部を１つの巻取機で開閉する構成を例に挙げて説明しているが、本発明はこれに限らない。例えば、農業用ハウスの長手方向の全長にわたって設けられた開閉窓を半分ずつのグループに分け、各グループを１つの巻取機で開閉する構成としてもよい。或いは、農業用ハウスの長手方向の全長にわたって設けられた開閉窓を３つ以上のグループに分け、各グループを１つの巻取機で開閉する構成としてもよい。各グループにおける巻取機を配置する位置は、同じ方向でも異なる方向でも構わない。
【００４９】
更にまた、上述した実施形態では各開閉窓６の開姿勢Ｂのときの傾き角度は、第１の紐通し１６、第２の紐通し１７および軸部材１３の各高さ関係に応じて調整され、第１の紐通し１６が第２の紐通し１７に対して最も接近した状態のときの角度となるが、本発明はこれに限らない。例えば、開閉窓６が開閉する領域に傾き角度調整用のストッパを設け、そのストッパに開閉窓６が当接するときの角度が傾き角度となるような構成としてもよい。
【００５０】
更にまた、上述した実施形態ではロック手段として、複数のピン取付孔２１ｂの１つに差し込んだピン２１ｃが突起２１ａに当接することにより巻取機２０が回動しないようにロックする構成のものを用いているが、本発明はこれに限らない。例えば、巻取機が魚釣り用のリールなどに組み込まれるラチェットホイールの場合には、そのラチェットホイールを回転または停止させるストッパ爪のようなものでもよい。或いは、紐１８を巻き付ける棒部材や、紐１８を両側から挟み込んで紐１８を動かないように固定するクランプでもよい。
【図面の簡単な説明】
【００５１】
【図１】本発明を適用した農業用ハウスの全体を示す外観斜視図である。
【図２】本発明の要部である開閉窓の部分を外側から見た図である。
【図３】図２の開閉窓の部分を内側から見た図である。
【図４】開閉窓が取付けられる被取付部を示す外観斜視図である。
【図５】図４の被取付部に開閉窓が取付けられた状態を示す外観斜視図である。
【図６】開閉窓が開閉する動作内容の説明図である。
【図７】ロック手段の説明図である。
【符号の説明】
【００５２】
Ａ    閉姿勢
Ｂ    開姿勢
Ｃ    垂直面
Ｗ    幅方向
Ｌ    長手方向
１    農業用ハウス
２    骨格部
６    開閉窓
６ａ    上端
６ｂ    下端
１０    支柱
１３    軸部材
１４    ヒンジ
１４ａ    ヒンジ軸部（水平軸）
１６    第１の紐通し
１７    第２の紐通し
１６ａ、１７ａ    紐通部
１８    紐
２０    巻取機
２１    ロック手段
２１ａ    突起
２１ｂ    ピン取付孔
２１ｃ    ピン
【図１】
2010011815.tif 000003
【図２】
2010011815.tif 000004
【図３】
2010011815.tif 000005
【図４】
2010011815.tif 000006
【図５】
2010011815.tif 000007
【図６】
2010011815.tif 000008
【図７】
2010011815.tif 000009